(57)【要約】本発明は、音声蓄積装置にＰＢＸ用内線回路のポートの使用状態を監視するポート管理部を備え、構内電話交換機においては着信呼を受信した時に外線を閉結しないまま発信者情報と着信ポート番号を含めた着信信号を音声蓄積装置へ送信する構成で、音声蓄積装置では着信信号を受信したとき、ポート管理部が空きポートを検出し、空きポートがある場合に空きポートを使って構内電話交換機を介して専用子機に対するページングを行ない、発呼者には電話局からの呼出中信号が送信されたままとなり、オフフックまでリングバックトーンが鳴り続けるものである。
2005528065.tif 000002
【特許請求の範囲】
【請求項１】
音声蓄積装置であって、
ａ）  構内電話交換機に接続され音声信号の送受信を行うＰＢＸ用内線回路と、
ｂ）  発呼者からのメッセージを格納することができるメッセージ蓄積部と、
ｃ）  ガイダンスメッセージを格納した音声ガイダンス蓄積部と、
ｄ）  前記ＰＢＸ用内線回路のポートの使用状態を監視するポート管理部と、
ｅ）  制御部とを有し、
前記構内電話交換機から送られた信号を受信したとき、前記制御部は前記ポート管理部によって前記構内電話交換機との間の空きポートを検出し、前記空きポートがある場合に前記構内電話交換機を介して子機に対するページングを行ない、前記空きポートがない場合には着信呼に対して自動応答処理を行う。
【請求項２】
請求項１に記載の音声蓄積装置であって、
前記制御部は前記ポート管理部によって前記構内電話交換機との間の空きポートを検出し、前記空きポートがある場合でかつ発呼者が特定できた場合は前記構内電話交換機を介して前記子機に対するページングを行ない、前記空きポートがある場合でかつ発呼者が特定できた場合には着信呼に対して自動応答処理を行う。
【請求項３】
音声蓄積装置であって、
ａ）  構内電話交換機に接続され音声信号の送受信を行うＰＢＸ用内線回路と、
ｂ）  発呼者からのメッセージを格納することができるメッセージ蓄積部と、
ｃ）  ガイダンスメッセージを格納した音声ガイダンス蓄積部と、
ｄ）  前記ＰＢＸ用内線回路に接続され前記メッセージ蓄積部または前記音声ガイダンス蓄積部との間で通話路を形成するスイッチ回路と、
ｅ）  前記スイッチ回路の制御を行う制御部と、
ｆ）  前記ＰＢＸ用内線回路のポートの使用状態を監視するポート管理部とを有し、
着信呼を受信した前記構内電話交換機から着信信号を受信したとき、前記ポート管理部が空きポートを検出し、前記空きポートがある場合には、前記制御部が前記空きポートを使って前記構内電話交換機から子機に対するページングを行い、前記空きポートがない場合には前記制御部が着信呼に対して自動応答処理を行う。
【請求項４】
請求項３に記載の音声蓄積装置であって、
ｇ）  前記メッセージ蓄積部と前記音声ガイダンス蓄積部に接続されメッセージの入出力処理を行う音声制御部と、
ｈ）  前記音声制御部を制御するとともにメッセージを管理するメッセージ管理部と、
ｉ）  前記音声制御部を制御するとともにガイダンスメッセージを管理するガイダンス管理部とを更に有し、
ページングの際には前記ガイダンス管理部が、前記音声ガイダンス蓄積部に格納されているガイダンスメッセージの中から１以上を選んで送出する。
【請求項５】
請求項４に記載の音声蓄積装置であって、
ｊ）  構内電話交換機から通知された発信者情報から発呼者を特定する発信者特定部と、
ｋ）  発信者情報が登録された発信者情報テーブルとを更に有し、
前記発信者特定部が前記発信者情報テーブルから発呼者を特定できた場合には、前記ガイダンス管理部が特定の発呼者用のガイダンスメッセージを前記構内電話交換機にページングさせることを特徴とする。
【請求項６】
請求項５に記載の音声蓄積装置であって、
ｌ）  前記発信者特定部によって特定された発呼者名と、前記音声ガイダンス蓄積部に格納された定型の音声信号データとから特定の発呼者用の呼び出しメッセージを合成するガイダンス合成部を更に有し、
前記ガイダンス管理部が、合成された発呼者向けの呼び出しメッセージを構内電話交換機にページングさせる。
【請求項７】
着信応答システムであって、
ａ）  構内電話交換機と、
ｂ）  前記構内電話交換機に接続された子機と、
ｃ）  前記構内電話交換機に接続された音声蓄積装置を有し、
前記構内電話交換機は着信呼を受信した時に外線を閉結しないまま発信者情報と着信ポート番号を含めた着信信号を前記音声蓄積装置へ送信し、
ｅ）  前記音声蓄積装置は着信信号を受信したとき、前記構内電話交換機との間の空きポートを検出し、前記空きポートがある場合に前記構内電話交換機を介して前記子機に対するページングを行なう。
【請求項８】
請求項７に記載の着信応答システムであって、
ページングに応じて前記子機の外線ボタンが操作されると、前記構内電話交換機は着信呼があった外線を閉結し、前記子機と前記外線との間で通話路を接続する。
【請求項９】
着信応答システムであって、
ａ）  構内電話交換機と、
ｂ）  前記構内電話交換機に接続された子機と、
ｃ）  音声蓄積装置とを有し、
前記音声蓄積装置は、
ｃ-1）  前記構内電話交換機に接続され音声信号の送受信を行うＰＢＸ用内線回路と、
ｃ-2）  発呼者からのメッセージを格納することができるメッセージ蓄積部と、
ｃ-3）  ガイダンスメッセージを格納した音声ガイダンス蓄積部と、
ｃ-4）  前記ＰＢＸ用内線回路に接続され前記メッセージ蓄積部または前記音声ガイダンス蓄積部との間で通話路を形成するスイッチ回路と、
ｃ-5）  前記スイッチ回路の制御を行う制御部と、
ｃ-6）  前記ＰＢＸ用内線回路のポートの使用状態を監視するポート管理部とを有し、
ｊ）  着信呼を受信したときには前記構内電話交換機が前記音声蓄積装置に着信信号を送り、
前記音声蓄積装置と前記構内電話交換機との間に空きポートがある場合には、前記着信信号に対応する着信呼に応答することなく前記音声蓄積装置が前記構内電話交換機からページングを行い、前記子機のオフフックにより前記構内電話交換機が回線を捕捉し、
前記空きポートがないときは前記音声蓄積装置が応答して前記構内電話交換機が回線を捕捉する。
【発明の詳細な説明】
【技術分野】
【０００１】
本発明は、音声蓄積装置及び、構内電話交換や音声蓄積装置を含む着信応答システムに関する。
【背景技術】
【０００２】
従来、構内電話交換機と音声蓄積装置から構成される着信応答システムには、発信者情報に応じて応答するか否かを変えられるようにしたものがある。例えば特開平１０−１３８７３号公報には、公衆網からの着信呼の信号が構内交換機や音声蓄積装置に入力されると、発呼者番号検出器によって発呼者番号が検出され、音声蓄積装置は検出された内線番号と発呼者番号を基に個人応答制御メモリの内容を検索し、発呼者番号が応答許可の番号のときには音声蓄積装置の制御部から指定の内線電話機を呼び出すための指令が出され、一般公衆網と指定の電話機とをリンクするための制御が行われる。また、発呼者番号が応答不許可の番号のときには発呼者からのメツセ−ジを音声蓄積メモリの発呼者に応じたボツクスに録音させる。
【０００３】
また、着信応答システムにおいて、着信呼があったときにページングを利用して電話を転送する応答処理を実行するものがある。この着信応答システムは、公衆回線等の外線から着信すると構内電話交換機はそれをそのまま音声蓄積装置に着信させ、音声蓄積装置は、オフフックして回線を接続する。次いで、音声蓄積装置の音声ガイダンス蓄積部に記憶された「しばらくお待ちください」といった定型メッセージを取り出して発呼者に送信するとともに、ページングによって受信者を呼び出すために一旦回線を保留状態にする。
【０００４】
次いで、ＩＳＤＮ等の呼設定メッセージや、アナログ回線のナンバディスプレイサービスで送られる発信者情報（発信番号）を利用して発呼者の特定ができるため、この発呼者名を織り込んだ「ＸＸさんから電話です」等のメッセージを合成して内線電話に転送し、外線ボタンを点滅させ、これを内線電話から一斉にアナウンスさせていた。そして、この状態で受信者もしくは関係者の誰かが外線ボタンを押すと回線が接続し、通話が可能になるというものであった。もし、所定時間経過しても誰も外線ボタンを押さない場合、音声蓄積装置は「ただいま電話に出ることができません。メッセージを録音します」という定型メッセージを音声ガイダンス蓄積部から取り出し、次いで保留状態の回線を通話モードに戻し、この定型メッセージを送出することで応答し、メッセージ録音モードに移行していた。
【０００５】
特開平０９−２８９５５０号公報には、外部出力装置を接続した構内自動交換機においてペ−ジングを行うものが記載されている。また、発信者情報（発信番号）を音声化する技術として特開平１１−１８７１１３号公報がある。
【０００６】
しかし、従来の構内電話交換機と音声蓄積装置の応答処理においては、公衆網からの着信呼の信号が構内交換機や音声蓄積装置に入力されると、最初に回線接続をし、発呼者に対して自動ガイダンスメッセージを送り、発呼者に待ってもらう場合には保留状態にし、無音もしくはＢＧＭ等を流すものである。このため、発呼者に「電話料金が課金されるのに、本当に呼び出しを行っているのか」「早くオフフックして欲しい」といった不安やいら立たしさを与えることがあった。
【０００７】
また、一斉呼び出しを受ける側でも、合成メッセージの内容がいわば表面的で、呼び出しが本当に自分に対するものか迷い、電話に出てよいのか躊躇することが多かった。そして、誰かが間違って電話に出てさらに転送を繰り返すのでは、ページングで呼び出しを行う意味がなくなるものであった。
【発明の開示】
【０００８】
構内電話交換機に接続され音声信号の送受信を行うＰＢＸ用内線回路と、発呼者からのメッセージを格納することができるメッセージ蓄積部と、ガイダンスメッセージを格納した音声ガイダンス蓄積部と、ＰＢＸ用内線回路のポートの使用状態を監視するポート管理部と、制御部とを有し、構内電話交換機から送られた信号を受信したとき、制御部はポート管理部によって構内電話交換機との間の空きポートを検出し、空きポートがある場合に構内電話交換機を介して子機に対するページングを行ない、空きポートがない場合には着信呼に対して自動応答処理を行う音声蓄積装置が提供される。
【発明を実施するための最良の形態】
【０００９】
（実施の形態１）
以下、実施の形態１における構内電話交換機と音声蓄積装置、そして、これらから構成される着信応答システムについて、図面を用いて説明する。図１は、実施の形態１における着信応答システムの構成図である。図１において、着信応答システムは、専用子機２１，２２，２３と構内電話交換機１と構内電話交換機１と接続され、着信呼に対して決められたボイスメールサービスをする音声蓄積装置３とから構成される。外線５は、公衆回線等である。
【００１０】
構内電話交換機１は、構内電話交換機１と専用子機２２，２２，２３を接続する複数のポート６を備え、更に構内電話交換機１と音声蓄積装置３を接続するポート７１，ポート７２，ポート７３を備えている。
【００１１】
なお、構内電話交換機１がデジタル構内電話交換機である場合には、制御データは音声信号を送るデータチャンネル（Ｂチャンネル）のほかに設けられた制御チャンネル（Ｄチャンネル）から送信される。また、ポート７１，７２，７３は、実施の形態１においては３ポートであるが、複数のポートであればこれに限られない。また、ポート６とポート７１，７２，７３は分離せずに共用することができる。
【００１２】
続いて構内電話交換機１の詳細な説明を行う。外線回路１１は外線５と接続され、着信処理や音声信号の送受信を行う。着信検知部１２は、外線回路１１に接続され外線５からの着信を検知する。この着信検知部１２は、外線回路１１とともに外線トランクを構成する。発信者情報検知部１３は、外線回路１１に接続され外線５より送られる発信者情報を検知する。例えば、電話会社の発信者情報サービスが発信した電話の電話番号を送るものであるならば、電話回線より送られてきた呼設定メッセージやアナログ回線の場合のモデム信号に乗せて送られた発信番号が発信者情報検知部１３によって取り出される。
【００１３】
ＶＭ用内線回路１４は音声蓄積装置３との間の音声の送受信を行う。子機用内線回路１５は専用子機２１，２２，２３との間の音声の送受信を行う。スイッチ回路１６は、外線回路１１とＶＭ用内線回路１４と子機用内線回路１５に接続され通話路の開閉を行う。もし、ポート６とポート７１，７２，７３を共用する場合は、ＶＭ用内線回路１４と子機用内線回路１５は共通の内線回路となる。制御部１７は、これらの内線回路１４、１５や外線回路１１，スイッチ回路１６をコントロールする。その他、メモリ１８，メモリ１８の中に置かれた機能テーブル１８ａを備えている。
【００１４】
制御部１７は中央制御装置（ＣＰＵ）に制御プログラムをロードして各機能を実現する機能実現手段であり、この制御プログラムはメモリ１８に格納される。また、メモリ１８の機能テーブル１８ａには、構内電話交換機１が行う交換機機能に起動をかけるサービス要求命令が登録されている。例えばページングサービスを行うときのサービス要求命令（ページング特番）は「＃４１」等に設定され、この「＃４１」が音声蓄積装置３から送られてくると構内電話交換機１はページングサービスに対する起動がかけられ専用子機２１，２２，２３に対してページングを行う。
【００１５】
このように構成された構内電話交換機１は、公衆回線より着信し、外線５から外線回路１１に着信信号が入来すると、それを着信検知部１２が検知する。同時に着信信号は発信者情報検知部１３へ入力され、発信者情報検知部１３によって発信者情報が検出される。次いで構内電話交換機１は専用子機２１，２２，２３の着信した外線ボタンを点滅させる。その後、例えばポート７１を使って音声蓄積装置３に発信者情報と着信外線ポート番号を含めた着信信号を送信する。
【００１６】
この間、構内電話交換機１は着信のあった外線５をオフフック状態にしないので、発呼者に対しては電話局からのリングバックトーン（呼出中信号）が発呼者に向けて送られる状態を保つ。制御部１７は、以下の所定の処理を終了するまで着信した外線回路１１をオフフック状態にしない。着信側がオフフックするまで、発呼者側はリングバックトーンが聞こえるだけである。
【００１７】
詳しくは後述するが、着信信号が音声蓄積装置３へ伝えられると、音声蓄積装置３は空きポートの有無を調べ、空きポートがあればインターカムページングを起動して、例えばポート７２からページング特番「＃４１」とページング用に作成した呼び出しメッセージを構内電話交換機１に送信する。構内電話交換機１の制御部１７はこの呼び出しメッセージを子機用内線回路１５の複数のポート６すべてから専用子機２１，２２，２３に送る。従って、呼び出しメッセージが専用子機２１，２２，２３のスピーカーからアナウンスさせる。なお、このとき既に着信した外線ボタンのＬＥＤが点滅されている。
【００１８】
アナウンスを聞いた誰かが専用子機の外線ボタンを押して受話器を取り上げれば、構内電話交換機１の制御部１７は外線回路１１を制御して外線を捕捉する。すなわち当該着信のあった外線５をオフフック状態にし、外線ボタンが押された専用子機との間に通話路を形成して通話可能になる。
【００１９】
次に、音声蓄積装置３について詳細な説明を行う。図１に示すように音声蓄積装置３は、音声蓄積装置全体の制御を行う制御部３０、構内電話交換機１に接続され音声信号の送受信を行うＰＢＸ用内線回路３１、ＰＢＸ用内線回路３１に接続され、構内電話交換機１と接続されるポートの使用状態を管理するポート管理部３３を備えている。ポート管理部３３はＰＢＸ用内線回路３１の状態を監視するものである。上述したポート６とポート７１，７２，７３を共用する場合は、ポート管理部３３は内線回路全体のポートの使用状態を監視することになる。
【００２０】
着信信号を受けると制御部３０は、ポート管理部３３に対して監視しているポート７１，７２，７３に空きのポートがあるか否かを問い合わせる。ポート管理部３３はポートの使用状況を制御部３０に通知し、空きがなければない旨の応答を通知する。制御部３０はこの未使用のポート７２，７３から、例えばポート７２を選択する。
【００２１】
なお、ボート管理部３３の空きポートの状態監視は、メモリ４２内にあるワーキングメモリエリアにおいて記憶されているポート状態フラグを参照することにより行うことってもよく、ボートの状態が判断できる方法であれば、どのような方法であってもよい。
【００２２】
さらに、音声蓄積装置３は、構内電話交換機１からの発信者情報から発呼者を特定する発信者特定部３４、予め発信者情報が登録された発信者情報テーブル３５、自動応答に使用する定型語句が登録されている音声ガイダンス蓄積部３６を備えている。音声ガイダンス蓄積部３６には「しばらくお待ち下さい」といったそのまま自動応答に使う定型語句と、呼び出しメッセージを合成するための「ＸＸさんからお電話です」といった合成用定型語句の２種類が格納される。ガイダンス合成部３７は、発信者情報テーブル３５と後述の音声制御部３９とガイダンス管理部４０に接続され、登録されている合成用定型語句や発信者情報を使って呼び出しメッセージやその他のガイダンスメッセージを合成する。メッセージ蓄積部３８は外線５からの音声信号を記憶する。
【００２３】
さらに音声制御部３９は、ガイダンス合成部３７に接続され合成された呼び出しメッセージをデータから音声信号に変換し、また外線からの音声信号をメッセージ蓄積部に記憶できるように変換するなどの入出力処理を行う。ガイダンス管理部４０は、発信者情報テーブル３５，音声ガイダンス蓄積部３６を管理する。メッセージ管理部４１はメッセージ蓄積部３８と音声制御部３９を管理する。メモリ４２は発信者情報テーブル３５や構内電話交換機１から送信されてくる外線ポート番号等のその他のデータを記憶している。スイッチ回路４３はＰＢＸ用内線回路３１と音声制御部３９の通話路の開閉を行う。
【００２４】
メモリ４２，音声ガイダンス蓄積部３６，メッセージ蓄積部３８は、中央処理装置（ＣＰＵ）のワークエリアとなるＲＡＭを除いて１つのディスク装置に設けることもできるが、図１に示すように音声ガイダンス蓄積部３６，メッセージ蓄積部３８はそれぞれ別の外部記憶装置として設けるのがよい。また、制御部３０は中央制御装置に制御プログラムをロードして各機能を実現する機能実現手段であり、この制御プログラムもメモリ４２に格納される。そして制御部３０は入手した発信者情報を発信者特定部３４に渡し、発信者情報テーブル３５を用いて発呼者を特定する。
【００２５】
以下、実施の形態１における発呼者を特定する処理について説明する。図２は実施の形態１における音声蓄積装置のメモリ内に設けられた発信者情報テーブルの概念図である。呼設定メッセージ等から得た発信者情報を構内電話交換機１から通知されると、発信者特定部３４はこの発信者情報、多くは電話番号を取り出し、発信者情報テーブル３５内に登録された電話番号と比較する。検索の結果、同一の電話番号があれば、電話番号が一致したコラムの情報が発呼者の情報として特定する。発信者情報テーブル３５内には電話使用者の名前、所属、住所、役職等の情報が登録されており、これら一連の情報が発呼者の情報として利用可能になる。とくに電話使用者名と所属は、発呼者を特定するための情報とみなされてガイダンス合成部３７に使用される。
【００２６】
発呼者を特定できなかった場合は、発信者特定部３４は制御部３０に特定ができなかった旨を通知する。これを受けて制御部３０は、構内電話交換機１へ回線を捕捉するよう依頼し、音声蓄積装置３は音声ガイダンス蓄積部３６に記憶されている自動ガイダンスメッセージを送出し、通常通りに発呼者のメッセージを録音することになる。
【００２７】
発呼者を特定できた場合には、発信者特定部３４は制御部３０に特定ができた旨を通知する。制御部３０はこれをガイダンス管理部４０に通知し、ガイダンス管理部４０はガイダンス合成部３７に呼び出しメッセージを合成するように指示する。ガイダンス合成部３７はメモリ４２に記録してある着信外線ポート番号と、発信者情報テーブル３５の名前、所属等の情報から、「外線」「Ｘ番」「に」「ＸＸ会社」「の」「様から電話です」等の合成用定型語句を音声ガイダンス蓄積部３６から取り出し、これらを組み合わせて「外線X番にＸＸ会社のＸＸ様から電話です。」と呼び出しメッセージを合成する。
【００２８】
例えば以下このように合成される特定の発呼者用のメッセージの具体例について図２に基づいて説明する。図２は実施の形態１における発信者情報テーブルの概念図である。 図２に示すように、電話番号が「１２３４−５６７８」であれば、発呼者は既知の「田中次郎」と特定でき、また、構内電話交換機１から通知された外線ポート番号が３番だとすると、ガイダンス合成部３７は「外線」「３番」「に」「の」「様から電話です」のデータを音声ガイダンス蓄積部３６から取り出す。同時に「コラム２」のデータから「田中次郎」のほかに「ＡＡ協会」「所長」のデータを取り出し、これらを組み合わせて「外線３番にＡＡ協会の田中次郎所長様から電話です」という呼び出しメッセージを合成する。なお、ガイダンス合成部３７は、メモリしている呼び出しメッセージが一旦データの圧縮伸長を行う音声制御部３９に送られて処理されてからこれを合成し、この合成された音声メッセージを音声制御部３９が音声信号に変換してスイッチ回路４３に渡し送信する。このようにして作成されたこのメッセージはページングのため専用子機２１，２２，２３から送出される。
【００２９】
次に、図３〜図５を用いて実施の形態1の着信応答システムの基本的な動作について説明を行う。図３に示すように、外線５より着信すると、着信呼を構内電話交換機１の着信検知部１２が検知し、発信者情報検知部１３で発信者情報を検出する。次いで構内電話交換機１の制御部１７は専用子機２１，２２，２３の着信した外線ボタンを点滅させる。その後、制御部１７は音声蓄積装置３に発信者情報と着信ポート番号を含めた着信信号を送信する。この間、電話局から発呼者に向けて呼出中信号が送信され、オフフックまでずっとリングバックトーンが鳴り続ける。そして構内電話交換機１は以下の所定の処理を終了するまで応答信号を送信しない。
【００３０】
次いで、着信信号を受けた音声蓄積装置３は空きポートの有無をポート管理部３３によってチェックする。もし、空きポートがあった場合、発呼者が特定できるか否かで分かれる。特定できなかった場合は、この発信者情報を付加した一斉呼び出しをすることができないため、通常通りメッセージの記録等の処理を行うことになる。なお、特定できた範囲内でメッセージを作成してページングするのもよい。
【００３１】
発呼者が特定できる場合は、音声蓄積装置３は発信者情報を使って特定の発呼者用に呼び出しメッセージを作り、図４に示すようにその空きポートを使って構内電話交換機１にページング特番「＃４１」を送ってページングを要求する。構内電話交換機１はこの呼び出しメッセージを受信すると、制御部１７が機能テーブル１８ａを参照し、サービス要求命令がページング特番であると認識し、子機用内線回路１５の複数のポート６すべてから専用子機２１，２２，２３に対して呼び出しメッセージを送り、専用子機２１，２２，２３のスピーカーからアナウンスされる。このとき着信した外線ボタンのＬＥＤは点滅されている。
【００３２】
この図４の状態で専用子機２１，２２，２３の外線ボタン（図示しない）を受信者が押すと、図５に示すように構内電話交換機１は着信呼に対する応答信号を送信し通話路が形成される。このとき発呼者はそれまで聞こえていたリングバックトーンが消え、通話可能になる。なお、図示はしないが受信者が専用子機２１，２２，２３の近くにおらず、呼び出し後所定の時間が経過しタイムアウトしたときには、音声蓄積装置３が応答し、構内電話交換機１が応答信号を送信して回線を捕捉する。その後、音声蓄積装置３は音声ガイダンス蓄積部３６に記憶されている自動ガイダンスメッセージを送出し、通常通りに発呼者のメッセージを録音することになる。
【００３３】
続いて、実施の形態1における着信応答システムの動作の流れを具体例を挙げて順に説明する。図６は、本発明の着信応答システムの動作手順フローチャートである。「ＢＢ株式会社営業部」の「日本一郎」が電話番号「０１１−１１１−１１１１」から専用子機２１を利用する受信者「福岡三郎」宛てに発呼したものとする。このとき構内電話交換機１は待機状態にあり、例えば「外線３番」に着信する（ｓｔｅｐ１）。着信呼が「外線３番」に着信すると、構内電話交換機１がこれを検知し、電話番号「０１１−１１１−１１１１」も検出する（ｓｔｅｐ２）。次いで構内電話交換機１は音声蓄積装置３に対し、検出した電話番号「０１１−１１１−１１１１」のデータと、「外線３番」を示す情報を含む着信信号を送信する（ｓｔｅｐ３）。
【００３４】
これを受け、音声蓄積装置３は着信したポート以外に空きポートがあるか否かをチェックする（ｓｔｅｐ４）。
【００３５】
空きポートがあるときには、音声蓄積装置３は、電話番号「０１１−１１１−１１１１」から発呼者を特定できるか否かを判断する（ｓｔｅｐ６）。発呼者が特定できなかった場合は、音声蓄積装置３が応答してメッセージの記録を行う（ｓｔｅｐ５）。
【００３６】
発呼者が特定できたときは（ｓｔｅｐ６）、発信者情報テーブル３５にある「日本一郎」「ＢＢ株式会社営業部」という発信者情報と定型語句と「外線３番」という情報を使って、例えば「外線３番にＢＢ株式会社営業部の部長日本一郎様から電話です」という呼び出しメッセージを合成する（ｓｔｅｐ７）。合成された呼び出しメッセージは構内電話交換機１に送られ、専用子機２１，２２，２３からページングを行い（ｓｔｅｐ８）、外線ボタンのＬＥＤが点滅されている専用子機２１，２２，２３からアナウンスされる。
【００３７】
この状態で専用子機２１，２２，２３から応答があるのを待つ（ｓｔｅｐ９）。
ｓｔｅｐ９において、専用子機利用者の一人である「福岡三郎」が専用子機２１からのアナウンスを聞き、「外線３番」の外線ボタンを押して応答すると、その外線ボタン情報は構内電話交換機１へ送られる。ここで初めて構内電話交換機１は当該着信のあった外線をオフフック状態にするとともに発呼者に対して応答信号を送り、専用子機２１と送信者「日本一郎」との間に通話路が形成される（ｓｔｅｐ１０）。
【００３８】
ｓｔｅｐ９で、所定時間応答がなくタイムアウトした場合には、音声蓄積装置３が応答し、構内電話交換機１が応答信号を送信して回線を捕捉する。音声蓄積装置３がメッセージの記録を行う（ｓｔｅｐ５）。その後、この着信応答システムの動作継続をやめるか否かが検討され（ｓｔｅｐ１１）、継続する場合はｓｔｅｐ１に戻って着信応答システムは待機する。動作を継続しないときは処理を終了する。
【００３９】
このように、実施の形態１の構内電話交換機と音声蓄積装置、そしてこれらから構成される着信応答システムは、空きポートが存在するか否かをチェックすることにより、ページングして呼び出しが可能か否かが判断できる。ポート管理部が空きポートの監視を行うので空きポートの有無が直ちに判断でき、空きポートがあるときには、専用子機がオフフックするまで発呼者にリングバックトーンを聞かせることができる。これによって従来のようなオフフックした後の時間に生じる不安やいら立たしさが起こらず、安価で迅速に回線を接続できる。空きポートがない場合には、通常通り自動応答処理することができる。
【００４０】
なお、上述の説明においては、空きポートがあるときであっても、発呼者を特定できない場合には、音声蓄積装置３が応答してメッセージの記録を行うこととしたが、発呼者を特定できない場合においても、発呼者名が電話回線から構内電話交換機を介して受け取った場合には、ページング動作をするようにしてもよい。すなわち、発呼者を特定できない場合であっても、空きポートがあり、発呼者名が送信されてきた場合には、ガイダンス管理部４０は、ガイダンス合成部３７に呼び出しメッセージを合成するように指示し、ガイダンス合成部３７はメモリ４２に記憶してある（構内電話交換機から送られてきた）着信外線ポート番号と受信した発呼者名から「外線」「X番」「に」「様から電話です」等の合成用等の合成用定型語句を音声ガイダンス蓄積部３６から取り出し、これらを組み合わせて「外線Ｘ番にＸＸ会社のＸＸ様から電話です。」と呼び出しメッセージを合成することも可能である。
【００４１】
また、ページングは、着信した外線ポート番号や発信者情報により、ページング対象を変更することも可能である。すなわち、送られてきた発信者情報に関連するページンググループ(例えば、内線電話機１番と内線電話機２番のグループ)を関連付けてメモリに記憶し、このメモリに基づいて送られてきた発信者情報に対応するページンググループを取り出し、そのページンググループ番号によりページングを行う（例えば、ページンググループ番号１であれば、ページング特番＃４１に１を加える）ようにしてもよい。この番号（＃４１１）を検出した構内電話交換機は、ページンググループ番号１へのページングであると認識し、ページンググループ番号１の内線電話機１番と内線電話機２番のみにページングを行うようになる。着信外線ポート番号についても同様にページンググループ番号と関連させて動作させることが可能である。
【００４２】
（実施の形態２）
以下、実施の形態２における着信応答システムについて説明する。図７において、内蔵ＶＭカード２５はボイスメールサービスを実現するために構内電話交換機２０内に装着される。内蔵ＶＭ回路２４は、音声蓄積装置である内蔵ＶＭカード２５を接続するためのインターフェースの役割である。その他の構内電話交換機２０の各部は、前述の実施の形態１と同様な構成であるため詳細な説明は省略する。
【００４３】
次に内蔵ＶＭカード２５について説明を行う。内蔵ＶＭカード２５は、構内電話交換機２０の内蔵ＶＭ回路２４に接続することにより音声信号の送受信を行うためのＰＢＸ内蔵カード用回路５１を備えている。また、内蔵ＶＭカード２５は、構内電話交換機２０と接続されるポートの使用状態を管理するポート管理部５３を備えている。
【００４４】
さらに、音声蓄積装置である内蔵ＶＭカード２５は、構内電話交換機２０からの発信者情報から発呼者を特定する発信者特定部５４、予め発信者情報が登録された発信者情報テーブル５５、自動応答に使用する定型語句が登録されている音声ガイダンス蓄積部５６を備えている。音声ガイダンス蓄積部５６に実施の形態１と同様な自動応答に使う定型語句と、呼び出しメッセージを合成するための合成用定型語句の２種類が格納される。その他、内蔵ＶＭカード２５にはガイダンス合成部５７、メッセージ蓄積部５８、音声制御部５９、ガイダンス管理部６０、メッセージ管理部６１、メモリ６２、スイッチ回路６３を備えており、これらも実施の形態１と同様な動作をする。
【００４５】
このように構内電話交換機２０に内蔵された内蔵ＶＭカード２５においても、着信時にまず空きポートが存在するか否かをチェックすることにより、ページングして呼び出しが可能か否かを判断するので、空きポートがあるときには、専用子機がオフフックするまで発呼者にリングバックトーンを聞かせることができる。
【００４６】
以上のように本発明は、音声蓄積装置においてＰＢＸ用内線回路のポートの使用状態を監視するポート管理部が設けられ、着信呼を受信した構内電話交換機から着信信号を受信したとき、ポート管理部が空きポートを検出し、空きポートがある場合には、制御部が空きポートを使って構内電話交換機から専用子機に対するページングを行うようにしたものであり、外線より着信呼を受信したとき、構内交換機と音声蓄積装置の間に空きポートが存在するか否かをチェックすることにより、回線を捕捉しないでページングして呼び出しが可能か否かが判断できる。このポート管理部が空きポートの監視を行うので空きポートの有無が直ちに判断して早く対応できる。そして空きポートがあるときには、専用子機がオフフックするまでは発呼者に対しては電話局からのリングバックトーンが送られる状態を保つので、これによって従来のようなオフフックした後の時間に生じる不安やいら立たしさが起こらず、安価で迅速に回線を接続できる。空きポートがない場合には、音声蓄積装置がオフフックして回線を捕捉し通常通り応答処理することができる。
【００４７】
また、メッセージ蓄積部と音声ガイダンス蓄積部に接続されメッセージの入出力処理を行う音声制御部と、該音声制御部を制御するとともにメッセージを管理するメッセージ管理部と、音声制御部を制御するとともにガイダンスメッセージを管理するガイダンス管理部とを備え、ガイダンス管理部が音声ガイダンス蓄積部に格納されているガイダンスメッセージの中から１以上を選んで送出するようにしたことにより、空きポートがある場合には該空きポートを使って構内電話交換機から専用子機に対するページングを行い、その際、音声ガイダンス蓄積部に格納されているガイダンスメッセージの中から適切ものを選んでページングを行うので、専用子機の使用者は迅速に対応することができる。
【００４８】
また、構内電話交換機から通知された発信者情報から発呼者を特定する発信者特定部と、発信者情報が登録された発信者情報テーブルとを備え、発信者特定部が発信者情報テーブルから発呼者を特定できた場合には、ガイダンス管理部が特定の発呼者用のガイダンスメッセージを構内電話交換機にページングさせるようにしたことにより、空きポートがあるときには、着信呼に応答することなく直ちに、発信者情報を利用した特定の発呼者用のガイダンスメッセージでページング呼び出しを行い、発呼者を特定できた場合に特定の発呼者用のガイダンスメッセージを構内電話交換機にページングさせるため、ガイダンスメッセージから発呼者を直ちに知ることができ、さらに早く回線を接続でき、さらに早く回線を接続でき、不安やいら立たしさが起こらず、安価に回線を接続できる。
【００４９】
また、発信者特定部によって特定された発呼者名と、音声ガイダンス蓄積部に格納された定型の音声信号データとから特定の発呼者用の呼び出しメッセージを合成するガイダンス合成部が設けられ、ガイダンス管理部が、合成された発呼者向けの呼び出しメッセージを構内電話交換機にページングさせるようにしたことにより、空きポートがあるときには、特定の発呼者用の固有のガイダンスメッセージをガイダンス合成部にて合成して、着信呼に応答することなくページング呼び出しを行なうので、ガイダンスメッセージから発呼者を直ちに知ることができ、さらに早く回線を接続できる。（特定の発呼者用の固有のガイダンスメッセージを合成するとは、「外線」「Ｘ番」「に」「ＸＸ会社」「の」「様から電話です」等の合成用定型語句を音声ガイダンス蓄積部から取り出し、これらを組み合わせて「外線Ｘ番にＸＸ会社のＸＸ様から電話です。」というようにする。）
【産業上の利用可能性】
【００５０】
本発明は、音声蓄積装置及び、構内電話交換や音声蓄積装置を含む着信応答システムに関するもので、着信したとき発呼者にオフフック後の経過時間に起因する不安やいら立たしさを感じさせることなく、安価で迅速に回線を接続できる音声蓄積装置と着信応答システムを提供するものである。
【図面の簡単な説明】
【００５１】
【図１】本発明の実施の形態１における着信応答システムの構成図である。
【図２】本発明の実施の形態１における音声蓄積装置のメモリ内に設けられた発信者情報テーブルの概念図である。
【図３】本発明の実施の形態１における着信応答システムの構内電話交換機を経由して着信した状態図である。
【図４】本発明の実施の形態１における着信応答システムの専用子機電話機へ音声蓄積装置よりページングを行った状態図である。
【図５】本発明の実施の形態１における着信応答システムの通話路が形成された状態図である。
【図６】本発明の実施の形態１における着信応答システムの動作手順フローチャートである。
【図７】本発明の実施の形態２における着信応答システムの構成図である。
【符号の説明】
【００５２】
１  構内電話交換機
２１、２２、２３  専用子機
３  音声蓄積装置
５  外線
６，７１、７２、７３  ポート
１１  外線回路
１２  着信検知部
１３  発信者情報検知部
１４  ＶＭ用内線回路
１５  子機用内線回路
１６、４３  スイッチ回路
１７、３０  制御部
１８、４２  メモリ
３１  ＰＢＸ用内線回路
３２  ポート管理テーブル
３３  ポート管理部
３４  発信者特定部
３５  発信者情報テーブル
３６  音声ガイダンス蓄積部
３７  ガイダンス合成部
３８  メッセージ蓄積部
３９  音声制御部
４０  ガイダンス管理部
４１  メッセージ管理部
【図１】
2005528065.tif 000003
【図２】
2005528065.tif 000004
【図３】
2005528065.tif 000005
【図４】
2005528065.tif 000006
【図５】
2005528065.tif 000007
【図６】
2005528065.tif 000008
【図７】
2005528065.tif 000009
【手続補正書】
【提出日】平成15年12月3日(2003.12.3)
【手続補正１】
【補正対象書類名】特許請求の範囲
【補正対象項目名】全文
【補正方法】変更
【補正の内容】
【特許請求の範囲】
【請求項１】
音声蓄積装置であって、
ａ）  構内電話交換機に接続され音声信号の送受信を行うＰＢＸ用内線回路と、
ｂ）  発呼者からのメッセージを格納することができるメッセージ蓄積部と、
ｃ）  ガイダンスメッセージを格納した音声ガイダンス蓄積部と、
ｄ）  前記ＰＢＸ用内線回路のポートの使用状態を監視するポート管理部と、
ｅ）  制御部とを有し、
前記構内電話交換機から送られた信号を受信したとき、前記制御部は前記ポート管理部によって前記構内電話交換機との間の空きポートを検出し、前記空きポートがある場合に前記構内電話交換機を介して子機に対するページングを行う。
【請求項２】
前記制御部は前記ポート管理部によって前記構内電話交換機との間の空きポートを検出し、前記空きポートがない場合には着信呼に対して自動応答処理を行うことを特徴とする請求項１記載の音声蓄積装置。
【請求項３】
請求項１に記載の音声蓄積装置であって、
前記制御部は前記ポート管理部によって前記構内電話交換機との間の空きポートを検出し、前記空きポートがある場合でかつ発呼者が特定できた場合は前記構内電話交換機を介して前記子機に対するページングを行ない、前記空きポートがある場合でかつ発呼者が特定できた場合には着信呼に対して自動応答処理を行う。
【請求項４】
音声蓄積装置であって、
ａ）  構内電話交換機に接続され音声信号の送受信を行うＰＢＸ用内線回路と、
ｂ）  発呼者からのメッセージを格納することができるメッセージ蓄積部と、
ｃ）  ガイダンスメッセージを格納した音声ガイダンス蓄積部と、
ｄ）  前記ＰＢＸ用内線回路に接続され前記メッセージ蓄積部または前記音声ガイダンス蓄積部との間で通話路を形成するスイッチ回路と、
ｅ）  前記スイッチ回路の制御を行う制御部と、
ｆ）  前記ＰＢＸ用内線回路のポートの使用状態を監視するポート管理部とを有し、
着信呼を受信した前記構内電話交換機から着信信号を受信したとき、前記ポート管理部が空きポートを検出し、前記空きポートがある場合には、前記制御部が前記空きポートを使って前記構内電話交換機から子機に対するページングを行い、前記空きポートがない場合には前記制御部が着信呼に対して自動応答処理を行う。
【請求項５】
請求項４に記載の音声蓄積装置であって、
ｇ）  前記メッセージ蓄積部と前記音声ガイダンス蓄積部に接続されメッセージの入出力処理を行う音声制御部と、
ｈ）  前記音声制御部を制御するとともにメッセージを管理するメッセージ管理部と、
ｉ）  前記音声制御部を制御するとともにガイダンスメッセージを管理するガイダンス管理部とを更に有し、
ページングの際には前記ガイダンス管理部が、前記音声ガイダンス蓄積部に格納されているガイダンスメッセージの中から１以上を選んで送出する。
【請求項６】
請求項５に記載の音声蓄積装置であって、
ｊ）  構内電話交換機から通知された発信者情報から発呼者を特定する発信者特定部と、
ｋ）   発信者情報が登録された発信者情報テーブルとを更に有し、
前記発信者特定部が前記発信者情報テーブルから発呼者を特定できた場合には、前記ガイダンス管理部が特定の発呼者用のガイダンスメッセージを前記構内電話交換機にページングさせることを特徴とする。
【請求項７】
請求項６に記載の音声蓄積装置であって、
ｌ）  前記発信者特定部によって特定された発呼者名と、前記音声ガイダンス蓄積部に格納された定型の音声信号データとから特定の発呼者用の呼び出しメッセージを合成するガイダンス合成部を更に有し、
前記ガイダンス管理部が、合成された発呼者向けの呼び出しメッセージを構内電話交換機にページングさせる。
【請求項８】
着信応答システムであって、
ａ）  構内電話交換機と、
ｂ）  前記構内電話交換機に接続された子機と、
ｃ）  前記構内電話交換機に接続された音声蓄積装置を有し、
前記構内電話交換機は着信呼を受信した時に外線を閉結しないまま発信者情報と着信ポート番号を含めた着信信号を前記音声蓄積装置へ送信し、
前記音声蓄積装置は着信信号を受信したとき、前記構内電話交換機との間の空きポートを検出し、前記空きポートがある場合に前記構内電話交換機を介して前記子機に対するページングを行なう。
【請求項９】
請求項8に記載の着信応答システムであって、
ページングに応じて前記子機の外線ボタンが操作されると、前記構内電話交換機は着信呼があった外線を閉結し、前記子機と前記外線との間で通話路を接続する。
【請求項１０】
着信応答システムであって、
ａ）  構内電話交換機と、
ｂ）  前記構内電話交換機に接続された子機と、
ｃ）  音声蓄積装置とを有し、
前記音声蓄積装置は、
ｃ-1）  前記構内電話交換機に接続され音声信号の送受信を行うＰＢＸ用内線回路と、
ｃ−２）  発呼者からのメッセージを格納することができるメッセージ蓄積部と、
ｃ−３）  ガイダンスメッセージを格納した音声ガイダンス蓄積部と、
ｃ−４）  前記ＰＢＸ用内線回路に接続され前記メッセージ蓄積部または前記音声ガイダンス蓄積部との間で通話路を形成するスイッチ回路と、
ｃ−５）  前記スイッチ回路の制御を行う制御部と、
ｃ−６）  前記ＰＢＸ用内線回路のポートの使用状態を監視するポート管理部とを有し、
着信呼を受信したときには前記構内電話交換機が前記音声蓄積装置に着信信号を送り、
前記音声蓄積装置と前記構内電話交換機との間に空きポートがある場合には、前記着信信号に対応する着信呼に応答することなく前記音声蓄積装置が前記構内電話交換機からページングを行い、前記子機のオフフックにより前記構内電話交換機が回線を捕捉し、
前記空きポートがないときは前記音声蓄積装置が応答して前記構内電話交換機が回線を捕捉する。
【国際調査報告】
2005528065.tif 000010
2005528065.tif 000011